(57)【要約】      （修正有）【課題】表示媒体の表示面の汚れをなくし、表示媒体の交換を容易、迅速に行えるようにし、表示媒体上のプライスを明るくクリアーに表示可能にする。【解決手段】接合することにより略直法体形状となる第１のブロック１および第２のブロック２からなり、第１のブロック１および第２のブロック２が表示媒体３を介して互いに接合可能であり、第１のブロック１および第２のブロック２には、それぞれの接合面側に各一端が露出する磁石４およびこの磁石４に吸着可能な磁性部材５が埋設されてなる。【選択図】図１
0003130877.tif 000002
【実用新案登録請求の範囲】
【請求項１】
肉厚で同一形状の平板を矩形状に形成し、四隅部を一体当接可能にした第１のブロックおよび第２のブロックで構成され、
前記第１のブロックおよび第２のブロックの相対向する両端縁部側中央部で、かつ両ブロックの対向する位置に磁石および磁性部材がそれぞれ埋設されてなり、
前記磁石の前記磁性部材に対する磁気吸着力により、前記第１のブロックおよび第２のブロック間に介在させた表示媒体を保持可能にすることを特徴とする表示媒体用表示器具。
【請求項２】
前記磁石および磁性部材は、それぞれの先端が前記第１のブロックおよび第２のブロックの各接合面に対し面一となるように露出していることを特徴とする請求項１に記載の表示媒体用表示器具。
【請求項３】
前記第１のブロックおよび第２のブロックが透明材料からなることを特徴とする請求項１に記載の表示媒体用表示器具。
【請求項４】
前記第１のブロックおよび第２のブロックの一方が透明材料からなり、他方が不透明材料からなることを特徴とする請求項１に記載の表示媒体用表示器具。
【請求項５】
前記第１のブロックおよび第２のブロックがアクリル樹脂からなることを特徴とする請求項１に記載の表示媒体用表示器具。
【考案の詳細な説明】
【技術分野】
【０００１】
本考案は、デパートや商店等において商品の陳列台や陳列棚に設置されて、その陳列台や陳列棚上の商品の案内やプライス（価格）等を印刷した表示媒体を表示するのに用いる表示媒体用表示器具に関する。
【背景技術】
【０００２】
デパートや商店では、商品の陳列台や陳列棚に設置されて、商品の価格を表示するのに、従来からプライス表示器が用いられている。このプライス表示器は、例えば陳列棚枠に対しプライスレールを取り付けたものからなる。
【０００３】
このプライスレールは、上下の両端部に折り返し部が形成されてなり、これらの折り返し部に左右方向から商品名などとともに価格を印刷したシート状のプライスカードを差し込むことができるようにしたものからなる（例えば、特許文献１参照）。
【特許文献１】特開２００１‐２９９５２３号公報
【考案の開示】
【考案が解決しようとする課題】
【０００４】
しかしながら、かかる従来のプライス表示器にあっては、プライスレールが大形で、大きな占有空間を要するほか、折り返し部に塵埃や水分が滞留し易く、変色や腐食が発生するという不都合があった。また、前記従来のプライス表示器にあってはプライスカードのプライス表示面が前方に向かって露出しているため汚れ易く、汚れを落とすべく洗浄を行った場合には、価格表示が剥がれてしまうという不都合があった。また、価格変更があったとき、プライスカードをプライスレールの上下部にある折り返し部分に差し入れる必要があり、プライスカードの交換作業が面倒であるという問題があった。
【０００５】
本考案は、前記のような従来の不都合を解消するためになされたものであり、プライスカード等の表示媒体の印刷面（表示面）の汚れをなくし、表示媒体の交換が容易、迅速に行えるようにするとともに、外光を十分に取り込んで、表示媒体の印刷面を明るく表示することができる表示媒体用表示器具を得ることを目的とする。
【課題を解決するための手段】
【０００６】
前記目的達成のために、本考案にかかる表示媒体用表示器具は、肉厚で同一形状の平板を矩形状に形成し、四隅部が一体当接を可能にした第１のブロックおよび第２のブロックで構成され、前記第１のブロックおよび第２のブロックの相対向する両端縁部側中央部で、かつ両ブロックの対向する位置に磁石および磁性部材がそれぞれ埋設されてなり、前記磁石の前記磁性部材に対する磁気吸着力により、前記第１のブロックおよび第２のブロック間に介在させた表示媒体を保持可能にすることを特徴とする。
【０００７】
この構成により、磁石の磁性部材に対する磁気吸引力に抗して第１のブロックおよび第２のブロックを引き剥がす（分離する）ことにより、これらのブロック間への表示媒体の介装作業が簡単、迅速に行える。また、この表示媒体の介装後は、各ブロックを再び接合することで、これらの間での表示媒体の支持が安定化し、表示面が汚れたり破損したりすることはない。また、汚れ落としのための洗浄作業や汚れた表示媒体の頻繁な交換作業がなくなる。さらに、表示媒体の交換作業の容易化、迅速化を可能にし、表示媒体の明るい表示を実現することができる。
【０００８】
また、本考案にかかる表示媒体用表示器具は、前記磁石および磁性部材が、それぞれの先端を前記第１のブロックおよび第２のブロックの各接合面に対し面一となるように露出させたことを特徴とする。
この構成により、前記磁石による磁性部材の吸着の際に、第１のブロックおよび第２のブロックを各接合面で直接にまたは表示媒体を介して密着させることができる。
【０００９】
また、本考案にかかる表示媒体用表示器具は、前記第１のブロックおよび第２のブロックが透明材料からなることを特徴とする。
この構成により、第１のブロックおよび第２のブロック間に介在された表示媒体の印刷面を、各ブロックを通過する光によって明るく、クリアーに表示することができる。また、各ブロックは光の透過により美しい透明状態を呈し、これが看取可能になる。
【００１０】
また、本考案にかかる表示媒体用表示器具は、前記第１のブロックおよび第２のブロックの一方が透明材料からなり、他方が不透明材料からなることを特徴とする。
この構成により、第１のブロックおよび第２のブロック間に介在された表示媒体上の表示を、透明の第１のブロックを通過する光によって明るくクリアーに表示することができるとともに、表示媒体の周辺部では入射光を吸収させることで、表示媒体上の表示を第１のブロックの外側から明瞭に看取することができる。
【００１１】
また、本考案にかかる表示媒体用表示器具は、前記第１のブロックおよび第２のブロックがアクリル樹脂からなることを特徴とする。
これにより、安価な材料および成形技術を用いて、クリアーで明るい表示をすることができるとともに、表示器具の全体を軽量化することができる。
【考案の効果】
【００１２】
本考案によれば、表示媒体の印刷面などの表示面の汚れをなくし、表示媒体の交換が容易、迅速に行えるようにするとともに、外光を十分に取り込んで、表示媒体上のプライスや商品説明などの表示を明るくクリアーに表示することができるという効果が得られる。
【考案を実施するための最良の形態】
【００１３】
以下に、本考案の実施形態を、図面を参照しながら説明する。
本実施形態の基本構成は、肉厚で同一形状の平板を矩形状に形成し、四隅部が一体当接を可能にした第１のブロックおよび第２のブロックで構成され、前記第１のブロックおよび第２のブロックの相対向する両端縁部側中央部で、かつ両ブロックの対向する位置に磁石および磁性部材がそれぞれ埋設されてなり、前記磁石の前記磁性部材に対する磁気吸着力により、前記第１のブロックおよび第２のブロック間に介在させた表示媒体を保持可能にしている。
【００１４】
これにより、磁石の磁性部材に対する磁気吸着力に抗して第１のブロックおよび第２のブロックを引き剥がすことで、各ブロック間への表示媒体の介装作業を簡単、迅速化できる。また、この表示媒体の介装後は、各ブロックを再び接合することで、前記磁気吸着力によりこれらの間での表示媒体の支持が安定化し、プライス等の表示面が汚れたり破損したりすることはない。さらに、第１のブロックおよび第２のブロックに入射する光を表示媒体の表示面で反射させることで、各ブロックの外からは明るい表示をクリアーに看取することができる。
【００１５】
以下に、表示媒体用表示器具がプライス表示器である場合を例にして、以下に説明を展開する。
図１は、本実施形態によるプライス表示器の全体を示す斜視図、図２は、このプライス表示器の分解斜視図、図３は、図１におけるプライス表示器を一部破断して示す平面図、図４は、図１におけるプライス表示器を示す側面図である。
そして、このプライス表示器は、第１のブロック１と、第２のブロック２と、第１のブロック１および第２のブロック２間に介在される表示媒体としての例えばプライスカード３と、から構成されている。
【００１６】
第１のブロック１および第２のブロック２は、それぞれ略同一のサイズで板状をなし、互いに前後または上下に接合することにより直方体形状をなす。また、各ブロック１、２は透明材料、例えばアクリル樹脂の成形品からなり、全体が平滑に仕上げられている。
【００１７】
第１のブロック１および第２のブロック２の接合面１ａ、２ａ側であって、前記プライスカード３の介在領域を挟む部位には、すなわち第１のブロック１および第２のブロック２の相対向する両端縁部側中央部で、かつ両ブロック１、２の対向する位置に、それぞれピン状の磁石４および磁性材料５が埋設されている。
そして、これらの磁石４および磁性材料５の先端が前記接合面１ａ、２ａに臨むように露出している。
【００１８】
従って、磁性部材５が磁石４の磁気吸着力を受けることによって、第１のブロック１および第２のブロック２は、表示媒体であるプライスカード３を介しまたは介さずに前記接合面１ａ、２ａにて互いに密着可能となる。
【００１９】
磁石４および磁性部材５のサイズや形状は必ずしも同一である必要はなく、比較的強い磁気吸引力を得るために、例えば磁性部材５に対し磁石４のサイズを大き目にしてもよい。
しかし、第１のブロック１および第２のブロック２は、これらを透明にすることで光の透過率を上げるようにしているため、磁石４および磁性部材５は、この光の透過を妨げるサイズ、形状とすることは望ましくない。このため、本実施形態では、これらの磁石４および磁性部材５を細いピン形状にしてある。
【００２０】
前記磁石４および磁性部材５は、第１のブロック１および第２のブロック２の前記接合面１ａ、１ｂに形成（穿設）された取付孔内に接着剤を介在して挿入され、固定されている。従って、前記磁石４および磁性部材５は少々の外力が作用しても前記取付孔から容易に脱抜することはない。
【００２１】
前記プライスカード３は、極薄の硬質カードに商品名や商品説明などとともに、その商品のプライスを印刷等により表記したものである。このプライスカード３は、左右一対の磁石４間の領域、つまり一対の磁性部材５間の領域に十分に収まる所定サイズの、例えば四角形状とされている。
【００２２】
かかる構成になるプライス表示器は、デパート等における商品の陳列台や陳列棚の上に商品とともに並置される。このとき、第１のブロック１と第２のブロック２を両手で開き、これらの間にプライスカード３を挟んだり、これらの間にあるプライスカード３を取り外したりして、随時かつ容易にプライスカード３を交換することができる。
【００２３】
また、プライスカード３を第１のブロック１および第２のブロック２間に介在し、これらの各ブロック１、２が一塊のブロックとなるように位置を揃えることにより、磁石４に対し磁気部材５が磁気吸着される。このため、各ブロック１、２はプライスカード３を介して各接合面１ａ、２ａで密着する。
なお、プライスカード３の厚みが極めて薄いため、プライスカード３の周辺部においても各ブロック１、２は各接合面１ａ、２ａにおいて相互に略密着状態となる。
【００２４】
また、前記密着状態によって、第１のブロック１の前記接合面１ａに密接するプライスカード３上のプライス等の表示は、この透明の第１のブロック１に入射した外来光によって照らされて反射する。これにより、そのプ表示内容を第１のブロック１の前方から明るくかつクリアーに看取することができる。
プライスカード３の周辺部では、各ブロック１、２をともに光が透過するために、光の入射および出射が各ブロック１、２の透明感を高め、プライス表示器に高級感を付与する。
【００２５】
プライスカード３は、第１のブロック１および第２のブロック２間に密接状態で介在されているため、プライス等の表示面が汚れたり破損したりすることはない。また、プライスカード３の交換時等における両ブロック１、２の分離は、磁石４と磁性部材５との磁気吸着力に抗する分離操作力によって簡単に行えるため、プライス変更時における新しいプライスカードへの交換作業も迅速、容易に行えることとなる。
【００２６】
また、第１のブロック１および第２のブロック２の一方を透明ブロックとし、他方を不透明の、例えば黒色のブロックとすることもできる。例えば、第１のブロック１を透明ブロックとし、第２のブロック２を黒色ブロックとした場合には、第１のブロックの前面から入射した光は、前述の通り、プライスカード３のプライス表示面で反射され、その第１のブロック１の前方に出射し、明るく、クリアーに表示される。
【００２７】
一方、プライスカード３の周辺部では、第１のブロック１内に入射した前記光が、黒色の第２のブロックに吸収される。このため、第１のブロック１の前方からは、周辺が黒色で、プライスカード３のプライス表示面が明るく浮き上がるように表示される。従って、プライス表示性能が高まるという利点が得られる。
【００２８】
なお、このような形状の第１のブロックおよび第２のブロック２は上下または左右に接合して、陳列台や陳列棚の上に載置されるが、全体として比較的肉薄であるために第２のブロック２の背面に、折り畳み式の支え棒を取り付けるようにすれば、これらが陳列台や陳列棚の上で自然に倒れるのを未然に回避することができる。
【００２９】
前記においては、磁石４および磁性部材５を各ブロック１、２の左右に１本ずつ設けた場合を示したが、磁気吸着力を考慮して２本以上とすることは任意である。これにより、各ブロック１、２の接合部１ａ、２ａ間の密着力を高めることができる。
【００３０】
以上のように、表示媒体用表示器具である本実施形態のプライス表示器は、上下または左右に接合することにより略直方体形状となる所定肉厚の第１のブロック１および第２のブロック２からなり、これらの第１のブロック１および第２のブロック２を、プライスカード３を介して互いに接合可能にし、第１のブロック１および第２のブロック２には、それぞれの接合面１ａ、２ａ側に各一端が露出する磁石４およびこの磁石４に吸着可能な磁性部材５を埋設した構成である。
【００３１】
この構成により、磁石４の磁性部材５に対する磁気吸引力に抗して第１のブロック１および第２のブロック２を引き剥がした際、これらのブロック１、２間へのプライスカード３の介装作業が簡単、迅速となる。このプライスカード３の介装後は、各ブロック１、２を再び接合することで、これらの間でのプライスカード３の支持が安定化し、プライス表示面が汚れたり破損したりすることはない。また、価格変更時におけるプライスカード３の交換作業を容易化、迅速化でき、明るくクリアーなプライス表示を実現できることとなる。
【産業上の利用可能性】
【００３２】
本考案にかかる表示媒体用表示器具は、表示媒体の表示面の汚れをなくし、表示媒体の交換が容易、迅速に行えるようにするとともに、外光を十分に取り込んで、表示媒体上の印刷などの表示面を明るくクリアー表示することができるという効果を有し、デパートや商店等において商品の陳列台や陳列棚に設置されて、その陳列台や陳列棚上の商品のプライスや商品説明などの表示をするのに用いる表示媒体用表示器具等に有用である。
【図面の簡単な説明】
【００３３】
【図１】本考案の実施形態による表示媒体用表示器具を示す斜視図である。
【図２】図１に示す表示媒体用表示器具の分解斜視図である。
【図３】図１に示す表示媒体用表示器具を一部破断した状態の平面図である。
【図４】図１に示す表示媒体用表示器具の側面図である。
【符号の説明】
【００３４】
１  第１のブロック
１ａ  接合面
２  第２のブロック
２ａ  接合面
３  プライスカード
４  磁石
５  磁性部材
【図１】
0003130877.tif 000003
【図２】
0003130877.tif 000004
【図３】
0003130877.tif 000005
【図４】
0003130877.tif 000006